(57)【要約】【課題】誤り訂正不可能なデータをシーケンスエラーコードにより置き換える処理をする際に、再生装置が偽のピクチャスタートコードが発生することを回避することができるようにする。【解決手段】再生装置が、誤り訂正できなかったデータをシーケンスエラーコードにより置き換える際に、誤り訂正ができなかったデータの直前にスタートコードプレフィックス（０ｘ００　０ｘ００　０ｘ０１）があるか否かを判別する。そして、スタートコードプレフィックスあると判別した場合には、誤り訂正ができなかったデータを、１バイトからなるシーケンスエラーコード“０ｘＢ４”により置き換え、スタートコードプレフィックスあると判別した場合には、誤り訂正ができなかったデータを、４バイトからなるシーケンスエラーコード“０ｘ００　０ｘ００　０ｘ０１　０ｘＢ４”により置き換える。【選択図】　図２
2004055065.tif 000002
【特許請求の範囲】
【請求項１】
誤り訂正が不可能であったデータをエラーコードにより置き換えるデータ処理装置において、
誤り訂正が不可能であった上記データの直前に、所定のデータがあるか否かを判別し、
所定のデータがないと判別した場合には、誤り訂正が不可能であった上記データを、上記エラーコードにより置き換え、
所定のデータがあると判別した場合には、誤り訂正が不可能であった上記データを、上記エラーコードとは異なる他のエラーコードにより置き換えることを特徴とするデータ処理装置。
【請求項２】
上記所定のデータが、スタートコードプレフィックスであることを特徴とする請求項１記載のデータ処理装置。
【請求項３】
上記スタートコードプレフィックスコードが０ｘ００　０ｘ００　０ｘ０１であり、上記エラーコードがシーケンスエラーコード０ｘ００　０ｘ００　０ｘ０１　０ｘＢ４であり、上記他のエラーコードがシーケンスエラーコード０ｘＢ４であることを特徴とする請求項２記載のデータ処理装置。
【請求項４】
誤り訂正が不可能であったデータをエラーコードにより置き換えるデータ処理方法において、
誤り訂正が不可能であった上記データの直前に、所定のデータがあるか否かを判別し、
所定のデータがないと判別した場合には、誤り訂正が不可能であった上記データを、上記エラーコードにより置き換え、
所定のデータがあると判別した場合には、誤り訂正が不可能であった上記データを、上記エラーコードとは異なる他のエラーコードにより置き換えることを特徴とするデータ処理方法。
【請求項５】
上記所定のデータが、スタートコードプレフィックスであることを特徴とする請求項４記載のデータ処理方法。
【請求項６】
上記スタートコードプレフィックスコードが０ｘ００　０ｘ００　０ｘ０１であり、上記エラーコードがシーケンスエラーコード０ｘ００　０ｘ００　０ｘ０１　０ｘＢ４であり、上記他のエラーコードがシーケンスエラーコード０ｘＢ４であることを特徴とする請求項５記載のデータ処理方法。
【発明の詳細な説明】
【０００１】
【発明の属する技術分野】
この発明は、データ処理装置およびデータ処理方法に関し、特に、誤り訂正ができなかったデータを、エラーコードにより置き換えるデータ処理装置に適用して好適なものである。
【０００２】
【従来の技術】
近年、ＭＰＥＧ２により高圧縮されたデータを再生可能な再生装置は広く普及している。この再生装置では、記憶媒体から読み出されたデータに誤り訂正不可能なデータが生じた場合には、この誤り訂正不可能なデータを、シーケンスエラーコード（０ｘ００　０ｘ００　０ｘ０１　０ｘＢ４）による置き換える処理が行われる。このように、誤り訂正不可能なデータをシーケンスエラーコードにより置き換えることにより、デコード装置では誤り訂正不可能なデータの有無を適切に判別することができる。
【０００３】
【発明が解決しようとする課題】
ところが、誤り訂正不可能なデータをシーケンスエラーコードにより置き換える処理をする際に、再生装置が偽のピクチャスタートコードを発生させてしまうことがある。この偽のピクチャスタートコードは、例えば、以下に示すようにして発生する。
【０００４】
すなわち、図１２に示すように、スライススタートコード（０ｘ００　０ｘ００　０ｘ０１　０ｘ１２）の４バイト目の“０ｘ１２”を含むシーケンスブロックＳＢ２に訂正不可能な誤りが生じた場合、このシーケンスブロックＳＢ２がシーケンスエラーコード（０ｘ００　０ｘ００　０ｘ０１　０ｘＢ４）により置き換えられる。この結果、データ“０ｘ００　０ｘ００　０ｘ０１　０ｘ００　０ｘ００　０ｘ０１　０ｘＢ４”が生じる。
【０００５】
図１３に示すように、“０ｘ００　０ｘ００　０ｘ０１　０ｘ００”は、ピクチャスタートコードと同一であるため、シーケンスエラーコードによる置き換えによって、偽のピクチャスタートコードが発生してしまう。
【０００６】
このように、偽のピクチャスタートコードが発生すると、デコード装置では、最初の４バイト“０ｘ００　０ｘ００　０ｘ０１　０ｘ００”をピクチャスタートコードとしてデコードし、それにつづく３バイト“０ｘ００　０ｘ０１　０ｘＢ４”をデータとして扱ってしまう。なお、０ｘは、１６進表記を示す。
【０００７】
したがって、この発明の課題は、誤り訂正不可能なデータをシーケンスエラーコードにより置き換える処理をする際に、偽のピクチャスタートコードが発生することを回避することができるデータ処理装置およびデータ処理入方法を提供することにある。
【０００８】
【課題を解決するための手段】
上述した課題を解決するために、本願第１の発明は、誤り訂正が不可能であったデータをエラーコードにより置き換えるデータ処理装置において、
誤り訂正が不可能であったデータの直前に、所定のデータがあるか否かを判別し、
所定のデータがないと判別した場合には、誤り訂正が不可能であったデータを、エラーコードにより置き換え、
所定のデータがあると判別した場合には、誤り訂正が不可能であったデータを、エラーコードとは異なる他のエラーコードにより置き換えることを特徴とするデータ処理装置である。
【０００９】
本願第２の発明は、誤り訂正が不可能であったデータをエラーコードにより置き換えるデータ処理方法において、
誤り訂正が不可能であったデータの直前に、所定のデータがあるか否かを判別し、
所定のデータがないと判別した場合には、誤り訂正が不可能であったデータを、エラーコードにより置き換え、
所定のデータがあると判別した場合には、誤り訂正が不可能であったデータを、エラーコードとは異なる他のエラーコードにより置き換えることを特徴とするデータ処理方法である。
【００１０】
上述したように、この発明によれば、エラーコードにより置き換える誤り訂正不可能データの直前に所定のデータがあるか否かを判別し、所定のデータがないと判別した場合にはエラーコードにより誤り訂正不可能データを置き換え、所定のデータがあると判別した場合には他のエラーコードにより誤り訂正不可能データを置き換えるため、エラーコードの挿入により偽のコードが発生することを回避することができる。
【００１１】
【発明の実施の形態】
以下、この発明の一実施形態について図面を参照しながら説明する。図１は、この発明の一実施形態による再生装置１の構成の一例を示すブロック図である。この再生装置１は、図１に示すように、記憶媒体読み出し装置３、誤り訂正装置４、シーケンスエラーコード挿入装置５およびデータ転送装置６を備える。
【００１２】
また、図１に示すように、再生装置１に対して、デコード装置７が接続されている。この再生装置１は、例えばビデオテーププレーヤである。なお、２は、例えばビデオカセットテープなどの記憶媒体であり、この記憶媒体には、ＭＰＥＧ２により圧縮されたデータが記録されている。
【００１３】
記憶媒体読み出し装置３は、装填された記憶媒体２からデータを読み出し、変調を施した後、誤り訂正装置４に供給する。また、記憶媒体読み出し装置３は、無効データを出力している期間において非アクティブとなり、それ以外の期間においてアクティブとなるイネーブル信号Ｓ３を誤り訂正装置４に供給する。この読み出し装置３は、例えば、ビデオカセットテープからデータを読み出すための磁気ヘッドと、この磁気ヘッドにより読み出されたデータを変調するための変調回路とを備える。
【００１４】
誤り訂正装置４は、記憶媒体読み出し装置３から供給されたイネーブル信号Ｓ３がアクティブとなる期間において、記憶媒体読み出し装置３から供給されたデータＤＴ３に対して、誤り訂正符号（ＥＣＣ（Ｅｒｒｏｒ　Ｃｏｒｒｅｃｔｉｎｇ　Ｃｏｄｅ））などを用いて誤り訂正処理を行い、シーケンスエラーコード挿入装置５に供給する。これにより、記憶媒体読み出し装置３によってデータ所得に失敗した部分が正しいデータに訂正され、シーケンスエラーコード挿入装置５に供給される。また、誤り訂正装置４は、誤り訂正できなかったデータを出力している期間においてアクティブとなり、それ以外の期間において非アクティブとなる検出信号Ｓ４ａと、無効データを出力している期間において非アクティブとなり、それ以外の期間においてアクティブとなるイネーブル信号Ｓ４ｂとをシーケンスエラーコード挿入装置５に供給する。
【００１５】
シーケンスエラーコード挿入装置５は、誤り訂正装置４から誤り訂正できなかったデータが供給された場合には、この誤り訂正できなかったデータの直前にスタートコードプレフィックスがあるか否かを判別する。スタートコードプレフィックスがあると判別した場合には、シーケンスエラーコード（０ｘＢ４）により誤り訂正できなかったデータを置き換え、データ転送装置６に供給する。一方、スタートコードプレフィックスがないと判別した場合には、シーケンスエラーコード（０ｘ００　０ｘ００　０ｘ０１　０ｘＢ４）により誤り訂正できなかったデータを置き換え、データ転送装置６に供給する。また、シーケンスエラーコード挿入装置５は、無効データを出力している期間において非アクティブとなり、それ以外の期間においてアクティブとなるイネーブル信号Ｓ５をデータ転送装置６に供給する。なお、この発明の一実施形態において、０ｘは１６進表記を示す。
【００１６】
ここで、図２および図３を用いて、シーケンスエラーコード挿入装置５におけるシーケンスエラーコード置き換え処理について具体的に説明する。なお、図２および図３には、誤り訂正装置４においてシーケンスブロック単位でデータの誤り訂正が行われた例が示されている。
【００１７】
例えば、図２に示すように、誤り訂正できなかたシーケンスブロックＳＢ２の直前にスタートコードプレフィックス（０ｘ００　０ｘ００　０ｘ０１）がある場合には、シーケンスエラーコード挿入装置５は、シーケンスブロックＳＢ２をコード“０ｘＢ４”により置き換える。
【００１８】
また、例えば、図３に示すように、誤り訂正できなかったシーケンスブロックＳＢ２の直前にスタートコードプレフィックス（０ｘ００　０ｘ００　０ｘ０１）がない場合には、シーケンスエラーコード挿入装置５は、シーケンスブロックＳＢ２をコード“０ｘ００　０ｘ００　０ｘ０１　０ｘＢ４”により置き換える。
【００１９】
データ転送装置６は、シーケンスエラーコード挿入装置５から供給されるイネーブル信号Ｓ５がアクティブとなる期間において、シーケンスエラーコード挿入装置５から供給されるデータＤＴ５をデコード装置７が受け付けられるデータ形式に変換し、デコード装置７に供給する。また、データ転送装置６は、無効データを出力している期間において非アクティブとなり、それ以外の期間においてアクティブとなるイネーブル信号Ｓ６をデコード装置７に供給する。
【００２０】
デコード装置７は、データ転送装置６から供給されるイネーブル信号Ｓ６がアクティブとなる期間において、データ転送装置６から供給されるデータＤＴ６をデコードする。このデコード装置７、例えばＤＴＶ（Ｄｉｇｉｔａｌ　ＴＶ）である。
【００２１】
図４は、この発明の一実施形態によるシーケンスエラーコード挿入装置５の構成の一例を示すブロック図である。このシーケンスエラーコード挿入装置５は、図４に示すように、スタートコードプレフィックス検出部１１、訂正不可能期間先頭検出部１２、置換方法選択部１３、第１のシーケンスエラーコード発生部１４、第２のシーケンスエラーコード発生部１５およびセレクタ１６を備える。
【００２２】
スタートコードプレフィックス検出部１１は、検出信号Ｓ４ａが非アクティブとなるとともにイネーブル信号Ｓ４ｂがアクティブとなる期間において、誤り訂正装置４から供給されるデータＤＴ４の中からスタートコードプレフィックスを検出する。スタートコードプレフィックスが検出された場合には、スタートコードプレフィックスが検出されたことを知らせるための信号Ｓ１１を置換方法選択部１３に供給する。ここで、スタートコードプレフィックスは、連続する３バイトのデータ“０ｘ００　０ｘ００　０ｘ０１”である。
【００２３】
訂正不可能期間先頭検出部１２は、誤り訂正装置４から供給される検出信号Ｓ４ａがアクティブになったか否かを検出する。検出信号Ｓ４ａがアクティブとなった場合には、検出信号Ｓ４ａがアクティブとなったことを知らせる信号Ｓ１２を、置換方法選択部１３に供給する。このように、誤り訂正装置４から供給される検出信号Ｓ４ａがアクティブになったか否かを検出することにより、誤り訂正できなかったデータの先頭を検出することができる。
【００２４】
置換方法選択部１３は、スタートコードプレフィックスが検出されなかったことを示す信号Ｓ１１がスタートコードプレフィックス検出部１１から供給されるとともに、誤り訂正できなかったデータの先頭を示す信号Ｓ１２が訂正不可能期間先頭部から供給された場合には、第１のシーケンスエラーコード発生部１４を制御し、シーケンスエラーコードを発生させる。また、置換方法選択部１３は、スタートコードプレフィックスが検出されたことを示す信号Ｓ１１がスタートコードプレフィックス検出部１１から供給されるとともに、訂正不可能期間の先頭を示す信号Ｓ１２が訂正不可能期間先頭部から供給された場合には、第２のシーケンスエラーコード発生部１５を制御し、シーケンスエラーコードを発生させる。
【００２５】
第１のシーケンスエラーコード発生部１４は、置換方法選択部１３からの要求に応じて、シーケンスエラーコード（０ｘ００　０ｘ００　０ｘ０１　０ｘＢ４）を発生し、セレクタ１６に供給する。また、第１のシーケンスエラーコード発生部１４は、シーケンスエラーコードを出力している期間においてアクティブとなるイネーブル信号Ｓ１４をセレクタ１６に供給する。
【００２６】
第２のシーケンスエラーコード発生部１５は、置換方法選択部１３からの要求に応じて、シーケンスエラーコード（０ｘＢ４）を発生し、セレクタ１６に供給する。また、第２のシーケンスエラーコード発生部１５は、シーケンスエラーコードを出力している期間においてアクティブとなるイネーブル信号Ｓ１５をセレクタ１６に供給する。
【００２７】
セレクタ１６は、誤り訂正装置４から供給される検出信号Ｓ４ｂがアクティブとなる期間において、合成データＤＴ１５＋ＤＴ１６をデータ転送装置６に供給するとともに、合成イネーブル信号Ｓ１５＋Ｓ１６をデータ転送装置６に供給する。また、誤り訂正装置４から供給される検出信号Ｓ４ｂが非アクティブとなる期間において、データＤＴ４をデータ転送装置６に供給するとともに、合成イネーブル信号Ｓ４ｂをデータ転送装置６に供給する。なお、合成イネーブル信号Ｓ１５＋Ｓ１６および合成データＤＴ１５＋ＤＴ１６については、後に説明する。
【００２８】
次に、図５〜図１１を用いて、シーケンスエラーコード挿入装置５の動作を説明する。なお、これらの図において、“００１”は“０ｘ００　０ｘ００　０ｘ０１”を示す。
【００２９】
図５は、誤り訂正装置４からシーケンスエラーコード挿入装置５に供給される入力信号のタイミングチャートである。検出信号Ｓ４ａは、誤り訂正装置４において誤り訂正できなかったデータＤＴ４が供給されている期間を示す信号であり、具体的には、誤り訂正できなかったデータＤＴ４が供給されている期間においてアクティブとなり、それ以外の期間において非アクティブとなる信号である。イネーブル信号Ｓ４ｂは、無効データが供給されている期間において非アクティブとなり、それ以外の期間においてアクティブとなる信号である。
【００３０】
図６は、スタートコードプレフィックス検出部１１の動作を説明するためのタイミングチャートである。スタートコードプレフィックス検出部１１は、検出信号Ｓ４ａが非アクティブであるとともにイネーブル信号Ｓ４ｂがアクティブである期間において、データＤＴ４の中にスタートコードプレフィックス（０ｘ００　０ｘ００　０ｘ０１）を検出すると、この検出直後に、置換方法選択部１３にパルス波を出力する。なお、スタートコードプレフィックスを検出した直後に、イネーブル信号Ｓ４ｂが非アクティブとなった場合には、次にイネーブル信号Ｓ４ｂがアクティブになった時点で、置換方法選択部１３にパルス波を出力する。
【００３１】
図７は、訂正不可能期間先頭検出部１２の動作を説明するためのタイミングチャートである。訂正不可能期間先頭検出部１２は、検出信号Ｓ４ａがアクティブとなった時点、すなわちイネーブル信号Ｓ４ｂの立ち上がりに応じてパルス波を出力する。
【００３２】
図８は、置換方法選択部１３の動作を説明するためのタイミングチャートである。置換方法選択部１３は、スタートコードプレフィックス検出部１１から供給される信号Ｓ１１と、訂正不可能期間先頭検出部１２から供給されるＳ１２とにおいて、同時にパルス波が検出された場合には、第２のシーケンスエラーコード発生部１５にパルス波を出力する。また、置換方法選択部１３は、訂正不可能期間先頭検出部１２から供給される信号Ｓ１２においてのみ、パルス波が検出された場合には、第１のシーケンスエラーコード発生部１４にパルス波を出力する。
【００３３】
図９は、第１のシーケンスエラーコード発生部１４の動作を説明するためのタイミングチャートである。第１のシーケンスエラーコード発生部１４は、置換方法選択部１３から供給される信号Ｓ１３ａにおいて、パルス波を検出した場合には、４バイトからなるデータ“０ｘ００　０ｘ００　０ｘ０１　０ｘＢ４”をセレクタ１６に供給する。また、第１のシーケンスエラーコード発生部１４は、データ“０ｘ００　０ｘ００　０ｘ０１　０ｘＢ４”を出力している期間には、セレクタ１６に供給するイネーブル信号Ｓ１４をアクティブにする。
【００３４】
図１０は、第２のシーケンスエラーコード発生部１５の動作を説明するためのタイミングチャートである。第２のシーケンスエラーコード発生部１５は、置換方法選択部１３から供給される信号Ｓ１３ｂにおいて、パルス波を検出した場合には、１バイトからなるシーケンスエラーコード“Ｂ４”をセレクタ１６に供給する。また、第２のシーケンスエラーコード発生部１５は、シーケンスエラーコード“Ｂ４”を出力している期間には、セレクタ１６に供給するイネーブル信号をアクティブにする。
【００３５】
図１１は、セレクタ１６の動作を説明するためのタイミングチャートである。合成イネーブル信号Ｓ１４＋Ｓ１５は、第１のシーケンスエラーコード発生部１４からのイネーブル信号Ｓ１４と、第２のシーケンスエラーコード発生部１５からのイネーブル信号Ｓ１５とを合成した信号である。合成データＤＴ１４＋ＤＴ１５は、第１のシーケンスエラーコード発生部１４からのデータ信号ＤＴ１４と、第２のシーケンスエラーコード発生部１５からのデータ信号ＤＴ１５とを合成した信号である。
【００３６】
セレクタ１６は、誤り訂正装置４から供給される検出信号Ｓ４ｂがアクティブとなる期間において、合成データＤＴ１５＋ＤＴ１６をデータ転送装置６に供給するとともに、合成イネーブル信号Ｓ１５＋Ｓ１６をデータ転送装置６に供給する。これにより、スタートコードプレフィックスコード（０ｘ００　０ｘ００　０ｘ０１）を直前に有していない、誤りのあるデータが、第１のシーケンスエラーコード発生部１４から出力されたシーケンスエラーコード“０ｘ００　０ｘ００　０ｘ０１　０ｘＢ４”により置き換えられる。また、スタートコードプレフィックスコード（０ｘ００　０ｘ００　０ｘ０１）を直前に有する、誤りのあるデータが、第２のシーケンスエラーコード発生部１４から出力されたシーケンスエラーコード“０ｘＢ４”により置き換えられる。
【００３７】
また、誤り訂正装置４から供給される検出信号Ｓ４ｂが非アクティブとなる期間において、データＤＴ４をデータ転送装置６に供給するとともに、合成イネーブル信号Ｓ４ｂをデータ転送装置６に供給する。
【００３８】
この発明の一実施形態によれば、以下のような効果を得ることができる。
誤り訂正できなかったデータをシーケンスエラーコードにより置き換える際に、誤り訂正ができなかったデータの直前にスタートコードプレフィックス（０ｘ００　０ｘ００　０ｘ０１）があるか否かを判別する。そして、スタートコードプレフィックスあると判別した場合には、誤り訂正ができなかったデータを、１バイトからなるシーケンスエラーコード“０ｘＢ４”により置き換え、スタートコードプレフィックスあると判別した場合には、誤り訂正ができなかったデータを、４バイトからなるシーケンスエラーコード“０ｘ００　０ｘ００　０ｘ０１０ｘＢ４”により置き換える。これにより、再生装置１において誤り訂正できなかったデータをシーケンスエラーコードにより置き換える際に、偽のピクチャスタートコードが発生することが回避することができる。
【００３９】
また、誤り訂正ができなかったデータの直前にスタートコードプレフィックス（０ｘ００　０ｘ００　０ｘ０１）がある場合には、誤り訂正ができなかったデータを、１バイトのシーケンスエラーコード“０ｘＢ４”により置き換えるため、シーケンスエラーコードによる置き換えによるデータの増加を抑えることができる。
【００４０】
以上、この発明の一実施形態について具体的に説明したが、この発明は、上述の一実施形態に限定されるものではなく、この発明の技術的思想に基づく各種の変形が可能である。
【００４１】
例えば、上述の一実施形態において挙げた数値はあくまでも例に過ぎず、必要に応じてこれと異なる数値を用いてもよい。
【００４２】
【発明の効果】
以上説明したように、請求項１に係る発明によれば、偽のコードが発生することを回避することができる。よって、デコード装置において、エラーコードを適切に検出することができる。
【００４３】
請求項２に係る発明によれば、偽のスタートコードの発生を回避することができる。よって、デコード装置において、エラーコードを適切に検出することができる。
【００４４】
請求項３に係る発明によれば、偽のピクチャスタートコードの発生を回避することができる。よって、デコード装置において、シーケンスエラーコードを適切に検出することができる。また、シーケンスエラーコードの挿入によるデータの増加を抑えることができる。
【図面の簡単な説明】
【図１】この発明の一実施形態による再生装置の構成の一例を示すブロック図である。
【図２】この発明の一実施形態によるシーケンスエラーコード挿入装置の処理を説明するための略線図である。
【図３】この発明の一実施形態によるシーケンスエラーコード挿入装置の処理を説明するための略線図である。
【図４】この発明の一実施形態によるシーケンスエラーコード挿入装置の構成の一例を示すブロック図である。
【図５】シーケンスエラーコードに供給される入力信号のタイミングチャートである。
【図６】スタートコードプレフィックスの動作を説明するためのタイミングチャートである。
【図７】訂正不可能期間先頭検出部の動作を説明するためのタイミングチャートである。
【図８】置換方法選択部の動作を説明するためのタイミングチャートである。
【図９】第１のシーケンスエラーコード発生部の動作を説明するためのタイミングチャートである。
【図１０】第２のシーケンスエラーコード発生部の動作を説明するためのタイミングチャートである。
【図１１】セレクタの動作を説明するためのタイミングチャートである。
【図１２】従来の再生装置の動作を説明するための略線図である。
【図１３】ＭＰＥＧ２のコードの種別とそのコード値を示す表である。
【符号の説明】
１・・・再生装置、２・・・記憶媒体、３・・・記憶媒体読み出し装置、４・・・誤り訂正装置、５・・・シーケンスエラーコード挿入装置、６・・・データ転送装置、７・・・デコード装置、１１・・・スタートコードプレフィックス検出部、１２・・・訂正不可能期間先頭検出部、１３・・・置換方法選択部、１４・・・第１のシーケンスエラーコード発生部、１５・・・第２のシーケンスエラーコード発生部、１６・・・セレクタ
【図１】
2004055065.tif 000003
【図２】
2004055065.tif 000004
【図３】
2004055065.tif 000005
【図４】
2004055065.tif 000006
【図５】
2004055065.tif 000007
【図６】
2004055065.tif 000008
【図７】
2004055065.tif 000009
【図８】
2004055065.tif 000010
【図９】
2004055065.tif 000011
【図１０】
2004055065.tif 000012
【図１１】
2004055065.tif 000013
【図１２】
2004055065.tif 000014
【図１３】
2004055065.tif 000015